(57)【特許請求の範囲】
【請求項１】
発光による表示機能とタッチ検出機能を備えたタッチセンサ装置に用いられるタッチセンサモジュールであって、
基体と、
基体の同じ面の上に形成された、当該面に沿った方向に離れた正電極パターンと負電極パターンと、
前記正電極パターンと前記負電極パターンとが形成された前記基体の面の上に、前記正電極パターンの少なくとも一部と前記負電極パターンの少なくとも一部とに重なるように積層されたＥＬ（Electro Luminescence）層と、
前記ＥＬ層の上に積層された、当該ＥＬ層の発光により出射された光を少なくとも部分的に透過する保護層とを有し、
前記正電極パターンと前記負電極パターンとは、前記ＥＬ層を発光させるための駆動電圧の印加と、ユーザのタッチの発生の検出に共用されることを特徴とするタッチセンサモジュール。
【請求項２】
請求項１記載のタッチセンサモジュールであって、
前記保護層は透明なガラスまたは透明なシートであることを特徴とするタッチセンサモジュール。
【請求項３】
請求項１記載のタッチセンサモジュールであって、
前記保護層はスモークガラスまたはスモークシートであることを特徴とするタッチセンサモジュール。
【請求項４】
請求項１、２または３記載のタッチセンサモジュールであって、
前記正電極パターンと前記負電極パターンとは、前記正電極パターンと前記負電極パターンとの間に駆動電圧を印加したときに前記ＥＬ層の発光する部分が、文字、記号または図形を形成する形状と配置を有することを特徴とするタッチセンサモジュール。
【請求項５】
請求項１、２または３記載のタッチセンサモジュールであって、
前記ＥＬ層は、文字、記号または図形を形成する形状と配置を有し、
前記正電極パターンと前記負電極パターンは、前記正電極パターンと前記負電極パターンとの間に駆動電圧を印加したときに前記ＥＬ層が発光する形状と配置を有することを特徴とするタッチセンサモジュール。
【請求項６】
請求項１、２または３記載のタッチセンサモジュールと、コントローラとを備え、
前記コントローラは、前記正電極パターンと前記負電極パターンとの間に前記駆動電圧を印加して、前記ＥＬ層の少なくとも一部を発光させると共に、前記正電極パターンと前記負電極パターンとの間の静電容量の変化に基づいてユーザのタッチの発生を検出することを特徴とするタッチセンサ装置。
【請求項７】
請求項４または５記載のタッチセンサモジュールと、コントローラとを備え、
前記コントローラは、前記正電極パターンと前記負電極パターンとの間に前記駆動電圧を印加すると共に、前記正電極パターンと前記負電極パターンとの間の静電容量の変化に基づいてユーザのタッチの発生を検出することを特徴とするタッチセンサ装置。
【請求項８】
発光による表示機能とタッチ検出機能を備えたタッチセンサ装置に用いられるタッチセンサモジュールであって、
基体と、
基体の同じ面の上に形成された、当該面に沿った方向に離れた表示用正電極パターンと表示用負電極パターンと検出用正電極パターンと検出用負電極パターンと、
前記表示用正電極パターンと前記表示用負電極パターンと前記検出用正電極パターンと前記検出用負電極パターンとが形成された前記基体の面の上に、前記表示用正電極パターンの少なくとも一部と前記表示用負電極パターンの少なくとも一部とに重なるように積層されたＥＬ（Electro Luminescence）層と、
前記ＥＬ層の上に積層された、当該ＥＬ層の発光により出射された光を少なくとも部分的に透過する保護層とを有し、
前記表示用正電極パターンと前記表示用負電極パターンとは、前記ＥＬ層を発光させるための駆動電圧の印加に用いられ、前記検出用正電極パターンと前記検出用負電極パターンとは、ユーザのタッチの発生の検出に用いられることを特徴とするタッチセンサモジュール。
【請求項９】
請求項８記載のタッチセンサモジュールであって、
前記保護層は透明なガラスまたは透明なシートであることを特徴とするタッチセンサモジュール。
【請求項１０】
請求項８記載のタッチセンサモジュールであって、
前記保護層はスモークガラスまたはスモークシートであることを特徴とするタッチセンサモジュール。
【請求項１１】
請求項８、９または１０記載のタッチセンサモジュールであって、
前記ＥＬ層は、文字、記号または図形を形成する形状と配置を有し、
前記表示用正電極パターンと前記表示用負電極パターンは、前記表示用正電極パターンと前記表示用負電極パターンとの間に駆動電圧を印加したときに前記ＥＬ層が発光する形状と配置を有し、
前記検出用正電極パターンと前記検出用負電極パターンとは、前記ＥＬ層と直交する方向から見て、当該ＥＬ層が発光する部分の周辺に配置されていることを特徴とするタッチセンサモジュール。
【請求項１２】
請求項８、９または１０記載のタッチセンサモジュールと、コントローラとを備え、
前記コントローラは、前記表示用正電極パターンと前記表示用負電極パターンとの間に前記駆動電圧を印加して、前記ＥＬ層の少なくとも一部を発光させると共に、前記検出用正電極パターンと前記検出用負電極パターンとの間の静電容量の変化に基づいてユーザのタッチの発生を検出することを特徴とするタッチセンサ装置。
【請求項１３】
請求項１１記載のタッチセンサモジュールと、コントローラとを備え、
前記コントローラは、前記表示用正電極パターンと前記表示用負電極パターンとの間に前記駆動電圧を印加すると共に、前記検出用正電極パターンと前記検出用負電極パターンとの間の静電容量の変化に基づいてユーザのタッチの発生を検出することを特徴とするタッチセンサ装置。
【発明の詳細な説明】
【技術分野】
【０００１】
本発明は、発光による表示機能を備えたタッチセンサに関するものである。
【背景技術】
【０００２】
発光による表示機能を備えたタッチセンサとしては、透明板、キーを表した装飾層、静電容量式のタッチセンサを構成する概略透明なタッチセンサ層、無機ＥＬ（Electro Luminescence）素子として機能する照明層を当該順序で前方より重ねたタッチセンサが知られている（たとえば、特許文献１）。ここで、このタッチセンサでは、照明層で後方より装飾層を照明することにより、装飾層の透過光でキーをユーザに対して表示している。また、このタッチセンサでは、照明層を、絶縁層、透明電極層、無機ＥＬ層である発光体層、誘電体層、背面電極層、保護層より構成している。
【０００３】
また、ＥＬ素子としては、有機ＥＬ層を一対の電極で挟んだ構造を有するＥＬ素子も知られている（たとえば特許文献２）。また、このような有機ＥＬ層を、有機ＥＬ材料を塗料化した塗料の塗布により形成する技術も知られている（たとえば、特許文献３）。
【先行技術文献】
【特許文献】
【０００４】
【特許文献１】特開２０１１-１５０５０２号公報
【特許文献２】特開２００３-２７２８３４号公報
【特許文献３】特開２００９-２６６３０号公報
【発明の概要】
【発明が解決しようとする課題】
【０００５】
上述した透明板、装飾層、タッチセンサ層、発光層により、発光による表示機能を備えたタッチセンサを構成する技術によれば、キーの表示のために装飾層と、上述のように多数の層よりなる照明層とを、タッチセンサ層とは別に設ける必要があるため、層数が多く構造が複雑となる。そして、このことが、発光による表示機能を備えたタッチセンサの薄化や、低コスト化の妨げとなっていた。
【０００６】
そこで、本発明は、より簡易な構成によって、発光による表示機能を備えたタッチセンサを実現することを課題とする。
【課題を解決するための手段】
【０００７】
前記課題達成のために、本発明は、発光による表示機能とタッチ検出機能を備えたタッチセンサ装置に用いられるタッチセンサモジュールを、基体と、基体の上面上に配置された正電極パターンと負電極パターンと、前記正電極パターンと前記負電極パターンとが配置された前記基体の上に積層されたＥＬ（Electro Luminescence）層と、前記ＥＬ層の上に積層された、当該ＥＬ層の発光により出射された光を少なくとも部分的に透過する保護層とを含めて構成したものである。
【０００８】
ここで、このようなタッチセンサモジュールは、より具体的には、前記正電極パターンと前記負電極パターンの形状と配置を、前記正電極パターンと前記負電極パターンとの間に駆動電圧を印加したときに前記ＥＬ層の発光する部分が、文字、記号または図形を形成する形状と配置とする。
【０００９】
または、このようなタッチセンサモジュールは、より具体的には、前記ＥＬ層の形状と配置を、文字、記号または図形を形成する形状と配置とし、前記正電極パターンと前記負電極パターンの形状と配置を、前記正電極パターンと前記負電極パターンとの間に駆動電圧を印加したときに前記ＥＬ層が発光する形状と配置とする。
【００１０】
また、以上のタッチセンサモジュールにおいて、前記保護層は透明なガラスまたは透明なシートであっても、スモークガラスまたはスモークシートであってもよい。
また、前記課題達成のために、本発明は、以上のようなタッチセンサモジュールと、コントローラとを備えたタッチセンサ装置を提供する。ここで、前記コントローラは、前記正電極パターンと前記負電極パターンに駆動電圧を印加して、前記ＥＬ層またはその一部を発光させると共に、前記正電極パターンと前記負電極パターンとの間の静電容量の変化に基づいてユーザのタッチの発生を検出する。
【００１１】
以上のようなタッチセンサモジュールによれば、基体上に形成した電極パターンは、ＥＬ層の駆動用の電極パターンとタッチ検出用の電極パターンとの双方の役割を果たすことができるので、層数、電極パターンが少ない簡易な構造によって、発光による表示機能とタッチ検出機能を備えたタッチセンサモジュールを実現することができる。
【００１２】
また、前記課題達成のために、本発明は、発光による表示機能とタッチ検出機能を備えたタッチセンサ装置に用いられるタッチセンサモジュールを、基体と、基体の上面に配置された表示用正電極パターンと表示用負電極パターンと検出用正電極パターンと検出用負電極パターンと、前記表示用正電極パターンと前記表示用負電極パターンと前記検出用正電極パターンと前記検出用負電極パターンとが配置された前記基体の上に積層されたＥＬ層と、前記ＥＬ層の上に積層された、当該ＥＬ層の発光により出射された光を少なくとも部分的に透過する保護層とを含めて構成したものである。
【００１３】
ここで、このようなタッチセンサモジュールは、より具体的には、前記ＥＬ層の形状と配置を、文字、記号または図形を形成する形状と配置として、前記表示用正電極パターンと前記表示用負電極パターン形状と配置を、前記表示用正電極パターンと前記表示用負電極パターンとの間に駆動電圧を印加したときに前記ＥＬ層が発光する形状と配置とする。そして、前記検出用正電極パターンと前記検出用負電極パターンとを、前記ＥＬ層と直交する方向から見て、当該ＥＬ層が発光する部分の周辺に配置する。
【００１４】
また、このようなタッチセンサモジュールにおいて、前記保護層は透明なガラスまたは透明なシートであっても、スモークガラスまたはスモークシートであってもよい。
このようなタッチセンサモジュールやタッチセンサ装置によれば、ＥＬ層の駆動用の電極と、タッチセンサ用の電極との双方を同じの基板上の電極パターンとして形成しているので、層数が少ない簡易な構造によって、発光による表示機能とタッチ検出機能を備えたタッチセンサモジュールを実現することができる。
【００１５】
また、前記課題達成のために、本発明は、このようなタッチセンサモジュールと、コントローラとを備えたタッチセンサ装置も提供する。ここで、前記コントローラは、前記表示用正電極パターンと前記表示用負電極パターンに駆動電圧を印加して、前記ＥＬ層またはその一部を発光させると共に、前記検出用正電極パターンと前記検出用負電極パターンとの間の静電容量の変化に基づいてユーザのタッチの発生を検出する。
【００１６】
また、併せて、本発明は、以上のような各タッチセンサ装置と、当該タッチセンサをユーザ操作の入力装置として用いてデータ処理を行う処理部とを備え情報処理システムも提供する。
【発明の効果】
【００１７】
以上のように、本発明によれば、より簡易な構成によって、発光による表示機能を備えたタッチセンサを実現することができる。
【図面の簡単な説明】
【００１８】
【図１】本発明の第１実施形態に係るＡＶシステムの構成と配置を示すブロック図である。
【図２】本発明の第１実施形態に係るタッチセンサモジュールの構造を示す図である。
【図３】本発明の第１実施形態に係るタッチセンサモジュールの作用を示す図である。
【図４】本発明の第２実施形態に係るタッチセンサモジュールの他の構造を示す図である。
【図５】本発明の第３実施形態に係るタッチセンサモジュールの駆動電圧を示す図である。
【図６】本発明の第４実施形態に係るＡＶシステムの他の構成例を示す図である。
【図７】本発明の第２実施形態に係るタッチセンサモジュールの他の構成例を示す図である
【発明を実施するための形態】
【００１９】
以下、本発明の実施形態を自動車に搭載されるＡＶシステムへの適用を例にとり説明する。
まず、第１の実施形態について説明する。
図１ａに、本第１実施形態に係るＡＶシステムの構成を示す。
図示するように、ＡＶシステムは、キーパッド１、タッチセンサモジュール２、タッチセンサコントローラ３、ＡＶ装置４を備えている。
ここで、キーパッド１は運転者用の操作入力装置でありたとえば、図１ｂに示すように、キーパッド１は、ステアリングに配置される。また、タッチセンサモジュール２は、たとえば、助手席の搭乗者用の操作入力装置であり、この場合、タッチセンサモジュール２は、たとえば、図１ｂに示すように、ダッシュボードの助手席前方の位置に配置される。
【００２０】
そして、ＡＶ装置４は、オーディオコンテンツやビデオコンテンツの再生出力等を行う装置であり、キーパッド１やタッチセンサモジュール２を用いてユーザの操作を受け付け、受け付けた操作に応じてコンテンツの再生動作を制御する。
【００２１】
以下、タッチセンサモジュール２の詳細について説明する。
図２ａ、ｂに、タッチセンサモジュール２の外観を示す。
図示するように、タッチセンサモジュール２は、シート状（薄板状）の形状を有し、非稼働時には、図２ａに示すように表示面は黒色で現れ、稼働時には、図２ｂに示すように表示面にＡＶ装置４の操作受付用のキーを表す図形が発光により黒色の背景上に表れるブラックアウト型の表示機能と、稼働時に、図形部分へのユーザのタッチを検出するタッチセンサの機能を備えている。
【００２２】
次に図２ｃに、タッチセンサモジュール２の層構造を示す。
ここで、以下では、タッチセンサモジュール２の表示面と平行な方向を水平方向とし、当該表示面と垂直な方向を上下方向として説明を行う。
さて、図示するように、タッチセンサモジュール２は、上面に正電極パターンと負電極パターンを形成した基板２１の上に、有機ＥＬ層２２と、スモークガラス２３とを当該順序で下から積層した構造を備えている。ここで、スモークガラス２３の上面が、上述したタッチセンサモジュール２の表示面となる。また、有機ＥＬ層２２は、たとえば、正電極パターンと負電極パターンを形成した基板２１上へ、有機ＥＬ材料を塗料化した塗料の塗布することにより形成することができる。
【００２３】
ここで、図２ｄに一例を示すように、正電極パターン２１１と負電極パターン２１２は、相互に離間したパターンであり、正電極パターン２１１と、負電極パターン２１２と、相互に近接した正電極パターン２１１と負電極パターン２１２との間の部分とを合わせた形状が、表示面に表示する図形の形状となるように設けられている。
【００２４】
また、正電極パターン２１１はタッチセンサコントローラ３の正極出力に接続されており、負電極パターン２１２はタッチセンサコントローラ３の負極出力に接続されている。なお、図２ｄの例では、正電極パターン２１１と、負電極パターン２１２は、それぞれ、ビアホールで基盤の下面に導通し、下面に設けられている配線パターンを通ってタッチセンサコントローラ３に接続されている。
【００２５】
さて、このようなタッチセンサモジュール２によれば、図３ａに示すようにタッチセンサコントローラ３で負電極パターン２１２をグランドに接地して、正電極パターン２１１に駆動電圧を印加することにより、有機ＥＬ層２２の正電極パターン２１１と負電極パターン２１２との間の区間に電流が流れ、当該区間が発光し、当該発光によりキーを表す図形がタッチセンサモジュール２の表示面に表れる。
【００２６】
また、図３ｂに示すように、ユーザが、タッチセンサモジュール２の表示面のキーを表す図形が表れている部分にタッチすると、ユーザとの容量結合によって、正電極パターン２１１と負電極パターン２１２との間の静電容量が変化し、正電極パターン２１１から負電極パターン２１２に流れる電流が変化する。そして、タッチセンサコントローラ３によって、この変化に基づいて、ユーザのタッチパネルモジュールの表示面のキーを表す図形が表れている部分へのタッチが検出され、当該タッチの発生が、タッチが発生した座標と共にＡＶ装置４に出力される。そして、ＡＶ装置４は、タッチセンサコントローラ３から出力された、タッチが発生した座標に対応する位置に表示している図形が表すキーのユーザ操作を受け付ける。
【００２７】
以上、本発明の第１の実施形態について説明した。
ところで、以上の第１実施形態は、上述したスモークガラス２３に代えてスモークシートを用いるようにしてもよい。
また、以上の第１実施形態は上述したスモークガラス２３に代えて透明なガラスまたは透明なシートを用いるようにしてもよい。なお、これらの場合、非稼働時のタッチセンサモジュール２の表示面は、有機ＥＬ層２２の非発光時の色で現れることとなるので、有機ＥＬ材料を、適当な色の着色剤と共に塗料化した塗料を塗布することにより有機ＥＬ層２２を形成する。
【００２８】
以下、本発明の第２の実施形態について説明する。
本第２実施形態は上述した第１実施形態とタッチセンサモジュール２の構成のみが異なる。
図４ａ、ｂに、第２実施形態に係るタッチセンサモジュール２の外観を示す。
図示するように、タッチセンサモジュール２は、シート状（薄板状）の形状を有し、非稼働時には、図４ａに示すように表示面にはＡＶ装置４の操作受付用のキーを表す図形が、外光に基づく反射光により現れる。また、稼働時には、図４ａに示すようにキーを表す図形が反射光により現れるようにすることも、図４ｂに示すようにキーを表す図形を発光させて表すこともできる。
【００２９】
また、タッチセンサモジュール２は、稼働時に、図形部分へのユーザのタッチを検出するタッチセンサとの機能を備えている。
次に、図４ｃに、第２実施形態に係るタッチセンサモジュール２の層構造を示す。
図示するように、タッチセンサモジュール２は、図２ｃに示した第１実施形態に係るタッチセンサモジュール２と、有機ＥＬ層２２のみが異なる。すなわち、第１実施形態では、有機ＥＬ層２２を基板２１の全面に設けたが、本第２実施形態では、有機ＥＬ層２２は、表示面にキーを表す図形を現す部分にのみ有機ＥＬ層２２が存在するように、基板２１の上に積層する。すなわち、有機ＥＬ層２２の水平方向の形状、サイズ、位置を、表示面にキーを表す図形と同形状、同サイズ、同位置とする。また、有機ＥＬ層２２の色は、基板２１の色と異なる色とする。すなわち、たとえば、有機ＥＬ材料を、基板２１の色と異なる色の着色剤と共に塗料化した塗料を塗布することにより有機ＥＬ層２２を形成する。
【００３０】
次に、図４ｄに、基板２１上に形成される正電極パターン２１１と負電極パターン２１２の例を示す。ここで、図４ｄでは、正電極パターン２１１と負電極パターン２１２のパターン例として、図２ｄに示したパターンとは異なるパターンを用いた場合を示している。この例では、正電極パターン２１１と、負電極パターン２１２は、それぞれ、基盤の上面に設けられている配線パターンを通ってタッチセンサコントローラ３に接続される。
【００３１】
以上、本発明の第２の実施形態について説明した。
以下、本発明の第３の実施形態について説明する。
本第３実施形態は、前記第２実施形態と、タッチセンサコントローラ３によるタッチセンサモジュール２の駆動法のみが異なる。
すなわち、本第３実施形態では、図５に示すように、タッチセンサコントローラ３がユーザのタッチを検出するために出力しなければならない最小の電位ＶＤが、タッチセンサコントローラ３が有機ＥＬ層２２を発光するために出力しなければならない最小の電位ＶＬよりも小さくなるように、タッチセンサモジュール２の正電極パターン２１１と負電極パターン２１２との間隔や、有機ＥＬ層２２の抵抗率等を設定する。
【００３２】
そして、タッチセンサコントローラ３は、昼間にはＶＤ以上ＶＬ未満の電圧の駆動電圧を正電極パターン２１１に印加し、夜間にはＶＬ以上の電圧の駆動電圧を正電極パターン２１１に印加する。
【００３３】
なお、昼間と夜間の判別は、自動車の前照灯の点灯の有無を検出し、自動車の前照灯が消灯している場合には昼間、点灯している場合には夜間と判別することにより行う。または、車内または車外の照度を検出する照度センサを設け、照度センサで検出した照度に応じて昼間と夜間を判別するようにしてもよい。
【００３４】
タッチセンサコントローラ３において、このようにタッチセンサモジュール２を駆動することにより、昼間は、図４ａのように、タッチセンサモジュール２の表示面にＡＶ装置４の操作受付用のキーを表す図形を反射光により表し、夜間には、図４ｂに示すように、キーを表す図形を発光させて表すことができる。
【００３５】
なお、夜間には駆動電圧が昼間より大きくなり、ユーザのタッチに対するタッチセンサモジュール２の感度が昼間より大きくなるので、タッチセンサコントローラ３は、この感度上昇分を補正してユーザのタッチを検出する。
【００３６】
以上、本発明の第３実施形態について説明した。
以下、本発明の第４の実施形態について説明する。
図６ａに、本第４実施形態に係るＡＶシステムの構成を示す。
図示するように、本第４実施形態に係るＡＶシステムは、図１に示した第１実施形態に係るＡＶシステムに、照明駆動部５を追加した構成を備えている。
また、本第４実施形態では、図６ｂに示すように、タッチセンサモジュール２の基板２１上にタッチセンサ用の正電極パターン６０１と負電極パターン６０２と、有機ＥＬ層２２の駆動用の正電極パターン６１１と負電極パターン６１２とをそれぞれ設けたものである。
【００３７】
ここで、有機ＥＬ層２２の駆動用の正電極パターン６１１と負電極パターン６１２と、有機ＥＬ層２２は、第２実施形態に係るタッチセンサモジュール２と同様に基板２１の上に積層する。一方、タッチセンサ用の正電極パターン６０１と負電極パターン６０２は、有機ＥＬ層２２によって表す図形の水平方向について近傍の、上下方向から見て有機ＥＬ層２２と重ならない位置に、表示面の当該図形が現れる部分へのユーザのタッチを検出できるように配置する。
【００３８】
そして、本第４実施形態では、照明駆動部５で有機ＥＬ層２２の駆動用の正電極パターン６１１と負電極パターン６１２を駆動して有機ＥＬ層２２を発光させ、タッチセンサコントローラ３でタッチセンサ用の正電極パターン６０１と負電極パターン６０２を駆動してユーザのタッチを検出する。
【００３９】
以上、本発明の実施形態について説明した。
ところで、以上の第２、第３実施形態の正電極パターン２１１と負電極パターン２１２、第４実施形態の有機ＥＬ層２２の駆動用の正電極パターン６１１と負電極パターン６１２は、図７に示すように、図形を表す有機ＥＬ層２２の縁より幾分はみ出すように設け、有機ＥＬ層２２の縁の位置での発光不足が生じないようにしてもよい。
【００４０】
また、以上では、タッチセンサモジュール２がキーを表す図形を表示する場合を例にとり説明したが、タッチセンサモジュール２は、文字、記号などを表示するものとして構成してもよい。すなわち、この場合には、正電極パターン２１１と負電極パターン２１２、または、有機ＥＬ層２２の駆動用の正電極パターン６１１と負電極パターン６１２を、駆動電圧の印加により発光する有機ＥＬ層２２の部分が文字、記号などを形成する形状、配置とすればよい。
【００４１】
また、以上では、自動車に搭載されるＡＶシステムへの適用を例にとり説明を行ったが、本実施形態で示したタッチセンサモジュール２は、タッチセンサを入力に用いる任意のシステムに適用することができる。
【００４２】
以上のように、本実施形態によれば、有機ＥＬ層２２の駆動用の電極と、タッチセンサ用の電極との双方を一つの基板２１上のパターンとして形成しているので、層数が少ない簡易な構造によって、発光による表示機能とタッチ検出機能を備えたタッチセンサモジュール２を実現することができる。また、有機ＥＬ層２２の駆動用の電極と、タッチセンサ用の電極として同じ電極を共用する第１から第３実施形態によれば、さらに、タッチセンサモジュール２の構造を簡易化することができる。
【符号の説明】
【００４３】
１…キーパッド、２…タッチセンサモジュール、３…タッチセンサコントローラ、４…ＡＶ装置、５…照明駆動部、１３…ビアホール、２１…基板、２２…有機ＥＬ層、２３…スモークガラス、２１１…正電極パターン、２１２…負電極パターン。
【図１】
0006599205.tif 000002
【図２】
0006599205.tif 000003
【図３】
0006599205.tif 000004
【図４】
0006599205.tif 000005
【図５】
0006599205.tif 000006
【図６】
0006599205.tif 000007
【図７】
0006599205.tif 000008